(57)【要約】【課題】風呂蓋を洗い場側が低くなるように傾けた状態で持ち上げられるようにする。【解決手段】風呂蓋１３は、浴槽１１に載置されることで浴槽１１の上面開口部１１Ａを塞ぐ蓋本体１４と、蓋本体１４に設けた取っ手１６とを備え、取っ手１６は、蓋本体１４を浴槽１１に載置した状態で蓋本体１４の重心Ｇを挟んで洗い場１２とは反対側の領域に配されている。風呂蓋１３が浴槽１１に載置されている状態では、蓋本体１４の重心Ｇが取っ手１６よりも洗い場１２側に位置しているので、取っ手１６を掴んで風呂蓋１３を持ち上げると、風呂蓋１３は洗い場１２側が低くなるように傾く。したがって、蓋本体１４の上面１４Ｓに溜まっていた洗い水を、洗い場１２へ流し落とすことができる。【選択図】図３
2019170662.tif 000002
【特許請求の範囲】
【請求項１】
浴槽に載置されることで前記浴槽の上面開口部を塞ぐ蓋本体と、
前記蓋本体に設けた取っ手とを備え、
前記取っ手は、前記蓋本体を前記浴槽に載置した状態で前記蓋本体の重心を挟んで洗い場とは反対側の領域に配されていることを特徴とする風呂蓋。
【請求項２】
前記取っ手は、前記蓋本体の上面を凹ませた形態の収容凹部内に収容されていることを特徴とする請求項１記載の風呂蓋。
【請求項３】
前記収容凹部の底面のうち少なくとも前記洗い場側の端部には、前記蓋本体の上面と鈍角をなして連なる排水面が形成されていることを特徴とする請求項２記載の風呂蓋。
【請求項４】
前記取っ手は、前記浴槽のうち前記洗い場に臨む前壁部と略平行な棒状をなしていることを特徴とする請求項１ないし請求項３のいずれか１項に記載の風呂蓋。
【請求項５】
前記蓋本体の外周縁のうち前記洗い場に臨む前縁部は、前記蓋本体の上面より突出した形態のエッジモールを有しており、
前記前縁部の左右両端部のうち少なくとも一方の端部には、前記エッジモールより低くなるように部分的に切欠した形態の排水部が形成されていることを特徴とする請求項１ないし請求項４のいずれか１項に記載の風呂蓋。
【発明の詳細な説明】
【技術分野】
【０００１】
本発明は、風呂蓋に関する。
【背景技術】
【０００２】
浴室において、浴槽に風呂蓋を載せた状態でシャワーを浴びると、身体で跳ねた洗い水が浴槽側へ飛散して風呂蓋の上面に溜まってしまうことは避けられない。溜まった洗い水を洗い場へ流し落とすためには、風呂蓋を持ち上げて洗い場側が低くなるように傾ける必要がある。特許文献１には、風呂蓋を持ち上げ易くするための手段として、風呂蓋の上面に取っ手を設ける技術が開示されている。
【先行技術文献】
【特許文献】
【０００３】
【特許文献１】特許第４３０８４１４号公報
【発明の概要】
【発明が解決しようとする課題】
【０００４】
特許文献１に開示されている取っ手は、風呂蓋の重心付近の１箇所のみに配置され、片手を伸ばして掴むようになっている。しかし、伸ばした片手で取っ手を掴んだ状態では、風呂蓋を持ち上げたときに、風呂蓋の姿勢を洗い場側が低くなるようにコントロールすることは難しい。風呂蓋が左右方向や奥方へ僅かでも傾くと、風呂蓋の上面の洗い水が浴槽内に流れ込んでしまう。
【０００５】
本発明は、上記従来の実情に鑑みてなされたものであって、風呂蓋を洗い場側が低くなるように傾けた状態で持ち上げられるようにすることを解決すべき課題としている。
【課題を解決するための手段】
【０００６】
本発明は、
浴槽に載置されることで前記浴槽の上面開口部を塞ぐ蓋本体と、
前記蓋本体に設けた取っ手とを備え、
前記取っ手は、前記蓋本体を前記浴槽に載置した状態で前記蓋本体の重心を挟んで洗い場とは反対側の領域に配されていることを特徴とする。
【発明の効果】
【０００７】
風呂蓋が浴槽に載置されている状態では、蓋本体の重心が取っ手よりも洗い場側に位置しているので、取っ手を掴んで風呂蓋を持ち上げると、風呂蓋は、重心バランスにより洗い場側が低くなるように傾く。したがって、風呂蓋の上面に溜まっていた洗い水を、洗い場へ流し落とすことができる。
【図面の簡単な説明】
【０００８】
【図１】実施例１の風呂蓋を浴槽に載置した状態をあらわす平面図
【図２】風呂蓋を浴槽に載置した状態をあらわす側断面図
【図３】風呂蓋が洗い場側が低くなるように傾けられた状態をあらわす側断面図
【図４】風呂蓋を浴室の壁面の引掛け部に引っ掛けた状態をあらわす側断面図
【発明を実施するための形態】
【０００９】
本発明は、前記取っ手は、前記蓋本体の上面を凹ませた形態の収容凹部内に収容されていてもよい。この構成によれば、取っ手が蓋本体の上面から突出しないので、風呂蓋を上下に重ねたときに、下側の風呂蓋の取っ手が上側の風呂蓋と干渉することがない。
【００１０】
本発明は、前記収容凹部の底面のうち少なくとも前記洗い場側の端部には、前記蓋本体の上面と鈍角をなして連なる排水面が形成されていてもよい。この構成によれば、取っ手を掴み、風呂蓋を洗い場側が低くなるように傾けると、収容凹部内に溜まっていた洗い水が、排水面を伝って蓋本体の上面に排出される。
【００１１】
本発明は、前記取っ手は、前記浴槽のうち前記洗い場に臨む前壁部と略平行な棒状をなしていてもよい。この構成によれば、取っ手の持ち方が順手と逆手のいずれであっても、風呂蓋を洗い場側が低くなるように傾ける動作を、容易に行うことができる。
【００１２】
本発明は、前記蓋本体の外周縁のうち前記洗い場に臨む前縁部は、前記蓋本体の上面より突出した形態のエッジモールを有しており、前記前縁部の左右両端部のうち少なくとも一方の端部には、前記エッジモールより低くなるように部分的に切欠した形態の排水部が形成されていてもよい。この構成によれば、風呂蓋を洗い場側が低くなるように傾けたときに、蓋本体の上面の洗い水は、風呂蓋の前縁部における左右いずれかの端部から洗い場側へ排出される。したがって、風呂蓋の左右方向中央部と対峙した状態で風呂蓋を持ち上げたときに、風呂蓋を持ち上げている人の足に蓋本体の洗い水が直接かかる虞はない。また、取っ手は、蓋本体の重心を挟んで排水部とは反対側に位置しているので、蓋本体を浴槽に載せた状態で取っ手を掴むようにすれば、蓋本体の傾きを調整できる。したがって、排水部における水の排出状態をコントロールすることができる。
【００１３】
＜実施例１＞
以下、本発明を具体化した実施例１を図１〜図４を参照して説明する。尚、以下の説明において、前後の方向については、図１における下方、及び図２〜４における右方を前方と定義する。上下の方向については、図２〜４にあらわれる向きを、そのまま上方、下方と定義する。左右の方向については、図１にあらわれる向きを、そのまま左方、右方と定義する。
【００１４】
浴室１０は、浴室１０の後側領域に配された浴槽１１と、浴室１０の前側領域に配された洗い場１２とを有する。浴槽１１には、左右対称な一対の風呂蓋１３が載置されるようになっている。一対の風呂蓋１３を浴槽１１に載置することで、浴槽１１の上面開口部１１Ａが閉塞されるようになっている。尚、風呂蓋１３は左右対称な形状であるため、浴槽１１の左側領域に載置されるものについて説明し、右側に載置される風呂蓋１３については、詳細な説明を省略する。
【００１５】
風呂蓋１３（蓋本体１４）の平面視形状は、長方形の４つの角部のうち１つ（左手前）の角部を斜めに面取りした五角形をなす。風呂蓋１３は、板状をなす蓋本体１４と、蓋本体１４の外周縁に全周に亘って取り付けたエッジモール１５とを一体化したものである。風呂蓋１３を浴槽１１に載置した状態において、蓋本体１４の上面１４Ｓのうち後述する収容凹部１７以外の領域は、水平な平面で構成されている。
【００１６】
図１に示すように、平面視において、風呂蓋１３（蓋本体１４）の重心Ｇは、風呂蓋１３の前後方向におけるほぼ中央であり、且つ左右方向におけるほぼ中央に位置している。また、図２〜４に示すように、風呂蓋１３（蓋本体１４）の鉛直断面において、風呂蓋１３の重心Ｇは、蓋本体１４の厚さ方向（上下方向）のほぼ中央に位置している。
【００１７】
蓋本体１４には、浴槽１１に載置されている風呂蓋１３を持ち上げたりする際の作業性の向上を図る手段として、取っ手１６が設けられている。取っ手１６は、前後方向（浴槽１１と洗い場１２が並ぶ方向）において、風呂蓋１３の重心Ｇよりも後方（洗い場１２とは反対側の方向）に配されている。また、取っ手１６は、左右方向において、風呂蓋１３の重心Ｇとほぼ同じ位置（風呂蓋１３の幅方向中央位置）に配されている。即ち、取っ手１６と風呂蓋１３の重心Ｇは、前後方向（浴槽１１と洗い場１２が隣り合う方向）に間隔を空けて並ぶように配されている。
【００１８】
取っ手１６は、蓋本体１４の上面１４Ｓを凹ませた形態の収容凹部１７内に収容されている。図１に示すように、収容凹部１７の平面視形状は略方形である。収容凹部１７の底面１８のうち前端側領域（洗い場１２側の領域）は、排水面１９となっている。排水面１９は、風呂蓋１３を浴槽１１に載置した状態で前方に向かって次第に高くなるように傾斜している。排水面１９の前端縁は、蓋本体１４の上面１４Ｓに対し鈍角をなして滑らかに連なっている。収容凹部１７の内面のうち後面と左右両側面は、風呂蓋１３を浴槽１１に載置した状態で鉛直方向に切り立った面となっている。
【００１９】
取っ手１６は、収容凹部１７の左右両側面の間で左右方向に橋渡された形態で設けられている。平面視において、取っ手１６は、浴槽１１のうち洗い場１２に臨む前壁部１１Ｆと略平行な棒状をなす。また、風呂蓋１３を前壁部１１Ｆと平行に切断した鉛直断面において、取っ手１６は水平な棒状をなしている。取っ手１６は、手の平を下向きにした順手と、手の甲を下向きにした逆手のいずれの握り方でも片手で掴むことができる。
【００２０】
取っ手１６と風呂蓋１３の重心Ｇは前後方向に間隔を空けて並ぶように配され、風呂蓋１３の重心Ｇは取っ手１６よりも洗い場１２に近い側に位置している。そして、取っ手１６の軸線方向（左右方向）は、取っ手１６と重心Ｇの並び方向とほぼ直交する方向となっている。したがって、風呂蓋１３を浴槽１１に載置している状態において取っ手１６を掴んで風呂蓋１３を持ち上げると、手の中で取っ手１６が左右方向の仮想軸（図示省略）を中心として相対回転しながら、風呂蓋１３が洗い場１２側を低くするような姿勢に傾く。
【００２１】
また、蓋本体１４の外周縁には、その全周に亘って連続したエッジモール１５が取り付けられている。エッジモール１５は、蓋本体１４の上面１４Ｓよりも上方へ突出しているため、蓋本体１４の上面１４Ｓに滞流する洗い水（図示省略）を風呂蓋１３の外部へ排出しようとしても、洗い水の一部が、エッジモール１５を乗り越えられず、蓋本体１４の上面１４Ｓのうち前縁部１４Ｆに残留してしまうことが懸念される。
【００２２】
そこで、図１に示すように、蓋本体１４（風呂蓋１３）の外周縁のうち洗い場１２に臨む前縁部１４Ｆには、左右一対の排水部２０を形成した。一対の排水部２０は、エッジモール１５のうち蓋本体１４の前端縁（浴槽１１の前壁部１１Ｆと平行な端縁部）に取り付けられている部分の幅方向（左右方向）の両端部を切欠した形態である。排水部２０においては、蓋本体１４の上面１４Ｓの前端縁が、風呂蓋１３の外部へ直接、臨んでいる。したがって、蓋本体１４の上面１４Ｓの洗い水は、エッジモール１５に妨げられることなく排水部２０を通過して、風呂蓋１３の外部へ流出される。
【００２３】
浴槽１１に風呂蓋１３を載せた状態で、洗い場１２で立った姿勢でシャワーを浴びると、身体で跳ねた洗い水が浴槽１１側へ飛散して蓋本体１４（風呂蓋１３）の上面１４Ｓに溜まる。蓋本体１４の上面１４Ｓに洗い水が溜まったら、取っ手１６を掴んで風呂蓋１３を浴槽１１から持ち上げる。すると、風呂蓋１３の重心Ｇは、取っ手１６よりも洗い場１２側に位置しているので、取っ手１６を掴んでいる手で風呂蓋１３の向きを無理にコントロールしなくても、風呂蓋１３はその自重により洗い場１２側が低くなる姿勢に傾く。風呂蓋１３が傾くと、蓋本体１４の上面１４Ｓに滞流していた洗い水は風呂蓋１３の前端縁から洗い場１２側へ流れ落ちる。
【００２４】
このとき、風呂蓋１３を左右いずれかへ僅かに傾けるようにすれば、蓋本体１４の上面１４Ｓの洗い水は、エッジモール１５で堰き止められることなく排水部２０から洗い場１２へ排出される。また、排水部２０は、風呂蓋１３の幅方向中央部ではなく、左右両端部に配されているので、風呂蓋１３の真正面に立って風呂蓋１３を持ち上げたときに、排水部２０から流れ落ちた洗い水が足にかかる虞はない。
【００２５】
また、浴室１０の内壁面のうち浴槽１１を挟んで洗い場１２とは反対側の後壁面１０Ｒには、左右一対の引掛け部２１が設けられている。引掛け部２１は、左右方向に細長く延びた形態であり、浴槽１１のうち後壁面１０Ｒに沿うように配された後壁部１１Ｒの上方に配されている。図４に示すように、風呂蓋１３は、その後端縁部を引掛け部２１に載置するとともに、前端縁部を浴槽１１の前壁部１１Ｆの上面に載置した状態に保持しておくことができる。
【００２６】
この状態では、洗い場１２側から視たときに、浴槽１１の上面開口部１１Ａの全領域が風呂蓋１３で閉塞されるが、風呂蓋１３（蓋本体１４）の上面１４Ｓは、洗い場１２側が低くなる向きに傾いている。したがって、洗い場１２側から風呂蓋１３の上面１４Ｓへ飛散した洗い水は、風呂蓋１３の傾斜により速やかに洗い場１２側へ流れ落ち、蓋本体１４の上面１４Ｓに大量の洗い水が滞流することはない。
【００２７】
本実施例の風呂蓋１３は、浴槽１１に載置されることで浴槽１１の上面開口部１１Ａを塞ぐ蓋本体１４と、蓋本体１４に設けた取っ手１６とを備えており、洗い場１２側が低くなるように傾けた状態で持ち上げることができるようにしたものである。そのための手段として、取っ手１６は、蓋本体１４を浴槽１１に載置した状態で蓋本体１４の重心Ｇを挟んで洗い場１２とは反対側の領域に配されている。
【００２８】
風呂蓋１３が浴槽１１に載置されている状態では、蓋本体１４の重心Ｇが取っ手１６よりも洗い場１２側に位置しているので、取っ手１６を掴んで風呂蓋１３を持ち上げると、風呂蓋１３は、重心バランスにより洗い場１２側が低くなるように傾く。したがって、風呂蓋１３の上面１４Ｓに溜まっていた洗い水を、洗い場１２へ流し落とすことができる。
【００２９】
また、取っ手１６は、蓋本体１４の上面１４Ｓを凹ませた形態の収容凹部１７内に収容されている。この構成によれば、取っ手１６が蓋本体１４の上面１４Ｓから突出しないので、風呂蓋１３を上下に重ねたときに、下側の風呂蓋１３の取っ手１６が上側の風呂蓋１３と干渉することがない。
【００３０】
また、収容凹部１７の底面１８のうち少なくとも洗い場１２側の端部（前端側領域）は、蓋本体１４の上面１４Ｓと鈍角をなして連なる排水面１９となっている。この構成によれば、取っ手１６を掴み、風呂蓋１３を洗い場１２側が低くなるように傾けると、収容凹部１７内に溜まっていた洗い水が、排水面１９を伝って蓋本体１４の上面１４Ｓに排出される。したがって、洗い水が収容凹部１７内に溜まったままになることを防止できる。また、収容凹部１７の底面１８の清掃も容易である。
【００３１】
また、取っ手１６は、浴槽１１のうち洗い場１２に臨む前壁部１１Ｆと略平行な棒状をなしているので、取っ手１６の持ち方が順手と逆手のいずれであっても、風呂蓋１３を洗い場１２側が低くなるように傾ける動作を、容易に行うことができる。
【００３２】
また、蓋本体１４の外周縁のうち洗い場１２に臨む前縁部１４Ｆは、蓋本体１４の上面１４Ｓより突出した形態のエッジモール１５を有しており、前縁部１４Ｆの左右両端部には、エッジモール１５の上端より低くなるように部分的に切欠した形態の排水部２０が形成されている。この構成によれば、風呂蓋１３を洗い場１２側が低くなるように傾けたときに、蓋本体１４の上面１４Ｓの洗い水は、風呂蓋１３の前縁部における左右いずれかの端部（排水部２０）から洗い場１２側へ排出される。したがって、風呂蓋１３の左右方向中央部と対峙した状態で風呂蓋１３を持ち上げたときに、風呂蓋１３を持ち上げている人の足に蓋本体１４の洗い水が直接かかる虞はない。また、取っ手１６は、蓋本体１４の重心Ｇを挟んで排水部２０とは反対側に位置している。したがって、蓋本体１４を浴槽１１に載せた状態で取っ手１６を掴むようにすれば、蓋本体１４の傾き角度を調整できる。したがって、排水部２０における水の排出状態をコントロールすることができる。
【００３３】
＜他の実施例＞
本発明は上記記述及び図面によって説明した実施例に限定されるものではなく、例えば次のような実施例も本発明の技術的範囲に含まれる。
（１）上記実施例では、取っ手を蓋本体の収容凹部内に収容したが、取っ手は、蓋本体の上面から上方へ突出した形態であってもよい。
（２）上記実施例では、取っ手が、浴槽のうち洗い場に臨む前壁部と略平行な棒状をなすが、取っ手は、前壁部と略直角な棒状であってもよく、指先を引っ掛けることが可能な板状であってもよい。
（３）上記実施例では、収容凹部の底面における洗い場側の端部が、蓋本体の上面と鈍角をなして連なる排水面となっているが、収容凹部の底面における洗い場側の端部と、蓋本体の上面とが、鉛直面を介して段差形状を構成していてもよい。
（４）上記実施例では、蓋本体の前縁部の左右両端部に排水部を形成したが、排水部は、蓋本体の前縁部の左右いずれか一方の端部のみに形成してもよく、蓋本体の前縁部における左右両端部よりも中央側の位置に形成してもよい。
（５）上記実施例では、排水部がエッジモールと蓋本体の上面の一部とを切欠した形態であるが、排水部は、エッジモールのみを切欠した形態でもよく、エッジモールを切欠せずに蓋本体を上下に貫通した孔状であってもよい。
（６）上記実施例では、風呂蓋の平面視形状が、長方形の４つの角部のうち１つの角部を斜めに面取りした五角形であるが、本発明は、風呂蓋の平面視形状が、方形である場合や、曲面と直線で構成された形状である場合等にも適用することができる。
（７）上記実施例では、１つの浴槽に載置する風呂蓋の数が２枚である場合について説明したが、本発明は、１つの浴槽に載置する風呂蓋の数が、１枚である場合や、３枚以上である場合にも適用できる。
【符号の説明】
【００３４】
１１…浴槽
１１Ａ…浴槽の上面開口部
１１Ｆ…浴槽の前壁部
１２…洗い場
１３…風呂蓋
１４…蓋本体
１４Ｆ…蓋本体の前縁部
１４Ｓ…蓋本体の上面
１５…エッジモール
１６…取っ手
１７…収容凹部
１８…収容凹部の底面
１９…排水面
２０…排水部
Ｇ…蓋本体の重心
【図１】
2019170662.tif 000003
【図２】
2019170662.tif 000004
【図３】
2019170662.tif 000005
【図４】
2019170662.tif 000006